(57)【特許請求の範囲】
【請求項１】
試料を分注する分注装置であって、
試料供給口を有するリザーバ流路と、前記リザーバ流路から分岐する第1の分岐流路及び第２の分岐流路と、前記リザーバ流路において前記第1の分岐流路及び第２の分岐流路よりも下流側に設けられた開口とを含む分注チップと、
前記試料供給口に接続可能なソケット部と、
前記ソケット部に前記分注チップを接続した場合に、前記試料供給口を介して前記リザーバ流路を加圧する加圧機構と、
前記開口を開閉可能な開閉手段と、を含み、
前記第1の分岐流路及び第２の分岐流路はキャピラリ流路であり、
前記第1の分岐流路及び第２の分岐流路の先端を閉鎖する閉鎖部材をさらに含み、
前記閉鎖部材は、前記先端から取り外し可能であり、気体を透過しかつ前記試料を透過させない材料から構成されている、
分注装置。
【請求項２】
請求項１に記載の分注装置において、さらに、
前記閉鎖部材により前記先端を閉鎖した状態において、閉鎖された前記先端側から前記第1の分岐流路及び第２の分岐流路を吸引する吸引手段を含む、
分注装置。
【請求項３】
試料を分注する分注方法であって、
前記試料を試料供給口からリザーバ流路に導入することと、
前記試料供給口を介して前記リザーバ流路を所定の圧力で加圧することによって分岐流路に前記試料を充填することと、
前記試料供給口を介して前記リザーバ流路を前記所定の圧力よりも強い圧力で加圧して、前記分岐流路から前記試料を吐出させることを含み、
前記試料を充填することは、さらに、
気体を透過しかつ前記試料を透過させない閉鎖部材によって前記分岐流路の先端を閉鎖した状態で、前記分岐流路を前記閉鎖部材側から吸引することを含み、
前記試料を吐出させることは、前記閉鎖部材を前記先端から取り外した状態で前記リザーバ流路を加圧する、
分注方法。
【発明の詳細な説明】
【技術分野】
【０００１】
本発明は、液体試料を簡易かつ高精度に分注するための分注方法および分注装置に関するものである。
【背景技術】
【０００２】
従来、生体検査装置における血液などの試料の分注には、吸引ピペットとディスペンサが用いられていたが、吸引ピペットは２〜３μｌの試料の分注には適しているものの、それ以下の量の試料の分注ではＣＶ（変動係数:Coefficient of variation）が大きいため、行うことができなかった。一方、採血にランセットを用いた場合の１回の採血量の総量は数μｌ程度であり、この採血量で多数の検査項目の検査を行うためには、数μｌレベルよりも高精度の分注精度が必要になる。このような分注精度は、従来の吸引ピペットとディスペンサでは実現できなかった。
【０００３】
特許文献１には、高精度の分注システムが提案されている。この分注システムは、システム流路内に分注流体と気体を順次導入し、気体の導入により形成されたエアギャップを介して分注流体に圧力パルスを加えることにより、微量の液体を非接触で分注できるようにしたものである。また、特許文献２には、簡易な構成で被検査液を高精度に秤量できるようにした秤量チップが提案されている。この秤量チップは、チップ本体に、リザーバ流路である第１流路と、第１流路から分岐する第２流路が形成されており、第１流路に流れる被検査液を毛細管力により第２流路に吸引し充填することにより、第２流路の容積に応じた量の被検査液を秤量することができる。秤量後、第１流路に残留している被検査液を残液吸収部材によって吸い取った後、第２流路の下流側を減圧するかもしくは上流側を加圧することにより、被検査液が第２流路から吐出される。
【特許文献１】特表２００５−５１６２２０号公報
【特許文献２】特開２００７−１０１２４０号公報
【発明の開示】
【発明が解決しようとする課題】
【０００４】
しかしながら、特許文献１の分注システムは、流体および気体の供給量や圧力パルスをシステム制御により調整するため、流体吸引（入力）サブシステムや圧力サブシステム、液体切替サブシステムなどを備えた複雑なシステム構成になっていた。また、特許文献２の秤量チップは、第１流路に被検査液を流すだけで第２流路に被検査液を導入して精度良く秤量することができるものの、第２流路からの被検査液の吐出先は秤量チップ内の減圧ポート内であり、秤量部である第２流路から秤量チップ外にある試料受け部に非接触で直接分注するための構成は提案されていなかった。
【０００５】
以上の問題点に鑑みて、本発明の課題は、簡易な構成により、液状の試料を高精度に分注でき、且つ、秤量部から試料受け部に非接触で直接分注できる分注方法および分注装置を提供することにある。
【課題を解決するための手段】
【０００６】
上記課題を解決するために、本発明の分注方法は、
リザーバ流路および当該リザーバ流路から分岐する複数の分岐流路を有する分注チップから、試料を複数の試料受け部に分注する分注方法であって、
前記試料を前記リザーバ流路に所定量導入する試料導入工程と、
前記リザーバ流路における前記試料の上流側と下流側との間に差圧を発生させ、当該差圧によって、前記リザーバ流路に導入した前記試料を前記リザーバ流路に沿って各分岐流路の分岐位置を経由して移動させることにより、各分岐位置から前記各分岐流路に前記試料を充填する試料充填工程と、
前記分岐流路の先端が外部に連通された状態で前記リザーバ流路を加圧し、前記各分岐流路に充填されている試料を、前記各分岐流路の先端から対応する前記試料受け部に向けて吐出させる試料吐出工程を行うことを特徴とする。
【０００７】
このように、本発明では、試料をリザーバ流路内で走行させて複数の分岐流路の入り口（分岐流路とリザーバ流路との分岐位置）を順次通過させることにより、各分岐流路に試料を流入させてその容積分の試料を充填することができる。そして、充填後にリザーバ流路内を加圧することにより、充填された試料を各分岐流路の先端から一気に吐出させて、各分岐流路から対応する試料受け部に向けて飛ばすことができる。つまり、分岐流路に試料を充填することでその容積分の試料を計量することができるので、分岐流路の容積を分注量や分注精度に対応させるだけで、高精度な分注を簡易に行うことができる。また、計量部である各分岐流路から各試料受け部に非接触で試料を飛ばすことができるので、分注経路における試料の汚染を抑制できる。
【０００８】
前記分岐流路はキャピラリ流路であり、前記試料充填工程では、前記分岐流路に前記試料を毛細管力により吸い込んで充填するとよい。このように、キャピラリ流路を用いれば、分岐位置を試料が通過した瞬間に毛細管力で試料が吸い込まれるので、吸引装置などを用いなくても分岐流路に試料を充填できる。
【０００９】
本発明において、前記試料充填工程では、前記試料が水性液体である場合には、前記分岐流路の内面を親水面とし、且つ、当該内面に前記分岐流路の先端側において接続されている面を撥水面とすることにより、前記試料を前記分岐流路に吸い込んで保持し、前記試料が油性液体である場合には、前記分岐流路の内面を撥水面とし、且つ、当該内面に前記分岐流路の先端側において接続されている面を親水面とすることにより、前記試料を前記分岐流路に吸い込んで保持するとよい。このようにすれば、試料が分岐流路に流れ込みやすいので、分岐流路の吸引力を高めることができる。また、分岐流路の先端から試料が流れ出しにくいので、試料を分岐流路内に保持できる。
【００１０】
本発明において、前記試料充填工程では、気体を透過し且つ前記試料を透過させない閉鎖部材により前記分岐流路の先端を閉鎖した状態で、前記分岐流路を前記閉鎖部材側から吸引し、前記試料吐出工程では、前記閉鎖部材を前記先端から取り外してから前記リザーバ流路を加圧するとよい。このようにすれば、分岐流路の先端側を試料を透過させない部材で閉鎖したまま分岐流路内に試料を導入できるので、導入した試料が分岐流路の先端側から流出せず、分岐流路内に保持される。
【００１１】
本発明において、前記複数の分岐流路のそれぞれの容積を、前記複数の試料受け部への前記試料の分注量に応じて決定するとよい。このようにすれば、分岐流路の容量や寸法精度を調整するだけで高精度な分注を実現できる。
【００１２】
本発明において、前記試料吐出工程では、前記リザーバ流路に矩形波状の圧力パルスを加えるとよい。このようにすれば、各分岐流路に充填された試料が飛び散らずにきれいな液滴状になって吐出される。
【００１３】
また、上記課題を解決するために、本発明の分注装置は、
リザーバ流路および当該リザーバ流路から分岐する複数の分岐流路を有する分注チップと、
前記リザーバ流路に設けられた試料供給口または前記リザーバ流路における前記試料供給口の上流側に接続可能な加圧手段と、
前記リザーバ流路における各分岐流路の分岐位置よりも下流側に設けられた外部との連通部分を開閉する開閉手段を備え、
前記複数の分岐流路のそれぞれの先端を外部に連通可能であり、且つ、当該先端を前記複数の試料受け部に対応して配置可能であることを特徴とする。
【００１４】
本発明では、このような構成により、リザーバ流路に試料を導入した後、その上流側と下流側に差圧を発生させることができるので、差圧によって試料をリザーバ流路内で走行させて複数の分岐流路の入り口（分岐流路とリザーバ流路との分岐位置）を順次通過させることができる。これにより、各分岐流路に試料を流入させてその容積分の試料を充填することができる。また、充填後には、リザーバ流路の下流側が閉鎖され分岐流路の先端が外部に連通された状態でリザーバ流路内を加圧することにより、充填された試料を分岐流路の先端から一気に吐出させ、各分岐流路に対応する試料受け部に向けて飛ばすことができる。つまり、分岐流路に試料を充填することでその容積分の試料を計量することができるので、分岐流路の容積を分注量や分注精度に対応させるだけで、高精度な分注を簡易に行うことができる。また、計量部である分岐流路から試料受け部に非接触で試料を飛ばすことができるので、分注経路における試料の汚染を抑制できる。
【００１５】
本発明において、前記分岐流路はキャピラリ流路であるとよい。このように、キャピラリ流路を用いれば、分岐位置を試料が通過した瞬間に毛細管力で試料が吸い込まれるので、吸引装置などを用いなくても分岐流路に試料を充填できる。
【００１６】
より具体的には、本発明において、前記開閉手段は、前記連通部分に着脱可能な蓋部材または前記連通部分に取り付けられた弁装置であるとよい。このような開閉手段であれば、簡易な構成でリザーバ流路に取り付けることができる。
【００１７】
より具体的には、本発明において、前記加圧手段は、前記試料供給口に着脱可能なシリンダおよび当該シリンダ内を移動可能なピストンであるとよい。このような加圧手段であれば、簡易な構成で加圧を行うことができ、手動で加圧を行うことも可能である。
【００１８】
本発明において、前記試料が水性液体である場合には、前記分岐流路の内面が親水面であり、且つ、当該内面に前記分岐流路の先端側において接続されている面が撥水面であり前記試料が油性液体である場合には、前記分岐流路の内面が撥水面であり、且つ、当該内面に前記分岐流路の先端側において接続されている面が親水面であるとよい。このようにすれば、試料が分岐流路に流れ込みやすく、分岐流路の吸引力を高めることができる。また、分岐流路の先端から試料が流れ出しにくいので、試料を分岐流路内に保持できる。
【００１９】
本発明において、前記複数の分岐流路の先端を閉鎖する閉鎖部材を備え、当該閉鎖部材は前記先端から取り外し可能であり、気体を透過し且つ前記試料を透過させないように構成されているとよい。また、具体的には、前記閉鎖部材はＰＴＦＥ膜であるとよい。さらに、本発明において、前記閉鎖部材により閉鎖された前記先端側から前記分岐流路を吸引する吸引手段を備えているとよい。このようにすれば、閉鎖部材で分岐流路の先端を閉鎖したまま先端側から分岐流路内を吸引することができる。よって、分岐流路内に確実に試料を吸引できる。また、吸引した試料を確実に分岐流路内に保持できる。
【００２０】
本発明において、前記複数の分岐流路のそれぞれの容積は、前記複数の試料受け部への前記試料の分注量に応じて決定されているとよい。このようにすれば、分岐流路の容量や寸法精度を調整するだけで高精度な分注を実現できる。
【００２１】
本発明において、前記加圧手段は、前記リザーバ流路に矩形波状の圧力パルスを印加可能に構成されているとよい。このようにすれば、各分岐流路に充填された試料を飛び散らせずにきれいな液滴状にして吐出させることができる。
【００２２】
より具体的には、本発明において、前記分注チップは、板状のチップ本体と、当該チップ本体の表面から突出する複数のノズルを備え、当該ノズルは、前記チップ本体における前記分岐流路の配置に対応して形成されており、前記ノズルの先端面に前記分岐流路が開口しているとよい。このように、分注チップの表面にノズルを形成すれば、分注操作時の位置決めが容易である。
【発明の効果】
【００２３】
本発明では、試料をリザーバ流路内で走行させて複数の分岐流路の入り口（分岐流路とリザーバ流路との分岐位置）を順次通過させることにより、各分岐流路に試料を流入させてその容積分の試料を充填することができる。そして、充填後にリザーバ流路内を加圧することにより、充填された試料を分岐流路の先端から一気に吐出させて試料受け部に向けて飛ばすことができる。つまり、分岐流路に試料を充填することでその容積分の試料を計量することができるので、分岐流路の容積を分注量や分注精度に対応させるだけで、高精度な分注を簡易に行うことができる。また、計量部である分岐流路から試料受け部に非接触で試料を飛ばすことができるので、分注経路における試料の汚染を抑制できる。
【発明を実施するための最良の形態】
【００２４】
以下、本発明を適用した分注装置および分注方法の実施の形態について説明する。
【００２５】
（第１実施形態／分注装置の構成）
図１は、本実施形態の分注装置１の斜視図、図２は分注装置１の断面図である。分注装置１は、分注チップ１０と、その一端に着脱可能な加圧用のシリンダ機構２０（加圧手段）と、分注チップ１０の他端に着脱可能な流路閉鎖用のストッパ３０（開閉手段）を備えている。
【００２６】
分注チップ１０は、細長い板状のチップ本体１１に、このチップ本体１１を長手方向に貫通する一本のリザーバ流路１２を直線状に形成し、さらに、このリザーバ流路１２から分岐して下方に延びる多数のキャピラリ流路１３（分岐流路）を互いに平行に形成し、各キャピラリ流路１３の先端１３ａを外部に連通させたものである。チップ本体１１は、ガラスあるいはアクリルなどの樹脂により形成されている。キャピラリ流路１３は、リザーバ流路１２の上流側から下流側までの区間に一定間隔で接続されて１列に並んでおり、リザーバ流路１２にすだれ状に接続されている。
【００２７】
チップ本体１１の長手方向側の両端面には、リザーバ流路１２の両端が開口している。上流側の開口１２ａは試料供給口として用いられ、この開口からリザーバ流路１２に液状の試料２が供給される。すなわち、開口１２ａは、血液などの試料を、患者の皮膚などから直接あるいは試料採取具を介して導入することが可能な構成である。本実施形態におけるリザーバ流路１２は円形断面の流路であり、皮膚の上に滲出した血液などの液滴の表面に開口１２ａを直接接触させることにより、毛細管力によって血液を開口１２ａからリザーバ流路１２内に吸い込むことができる。また、開口１２ａは、リザーバ流路１２内を加圧するための圧力印加口として兼用される。すなわち、開口１２ａには、後述するシリンダ機構２０を着脱することができるので、シリンダ機構２０からリザーバ流路１２内に加圧気体を導入することができる。一方、下流側の開口１２ｂにはストッパ３０を着脱することができるので、リザーバ流路１２を外部に連通させたり閉鎖したりできるようになっている。
【００２８】
チップ本体１１の下面１１ａには、キャピラリ流路１３が延びる位置および方向に合わせてノズル１４が１列に突出形成されている。各ノズル１４の先端面１４ａには、キャピラリ流路１３の先端１３ａが開口している（図２における領域Ａの拡大図参照）。チップ本体１１の下面１１ａからの各ノズル１４の突出寸法は一定ではなく、本実施形態では、３種類の長さのノズル１４（１４Ａ〜１４Ｃ）が設けられている。最も短いノズル１４Ａはリザーバ流路１２の上流側に形成されており、中間の長さのノズル１４Ｂはリザーバ流路１２の中央部分に接続されており、最も長いノズル１４Ｃは下流側に形成されている。
【００２９】
キャピラリ流路１３は円形断面の直線状の流路である。各キャピラリ流路１３の内径Ｄは同一であるが、その流路長Ｌは、キャピラリ流路１３ごとに異なっていてもよいし、同一であってもよい。本実施形態では３種類の長さのキャピラリ流路１３（１３Ａ〜１３Ｃ）が形成されている。リザーバ流路１２の上流側に接続されたキャピラリ流路１３Ａの流路長が最も短く、中央部分に接続されたキャピラリ流路１３Ｂの流路長が２番目に短く、下流側に接続されたキャピラリ流路１３Ｃの流路長が最も長い。上記ノズル１４Ａ〜１４Ｃの突出長さは、これらのキャピラリ流路１３Ａ〜１３Ｃの流路長に応じた長さである。
【００３０】
本実施形態の分注装置１では、各キャピラリ流路１３に血液などの試料２を充填することにより、試料２を計量して分注する。つまり、キャピラリ流路１３の容積によって分注量が決まるので、各キャピラリ流路を、目標とする分注量および分注精度に応じた容積になるように設計し、製造されている。本実施形態では、キャピラリ流路１３の内径Ｄが一定であるので、各キャピラリ流路１３の容積は流路長に応じた大きさとなっている。例えば、キャピラリ流路１３（１３Ａ〜１３Ｃ）の内径を０．１６ｍｍとし、最も短いキャピラリ流路１３Ａの流路長を１ｍｍにすることにより、このキャピラリ流路１３Ａの容積が２０ｎｌとなる。つまり、本実施形態のキャピラリ流路１３Ａは、２０ｎｌずつ試料２を計量して分注することができる。また、キャピラリ流路１３Ｂ，１３Ｃは、２０ｎｌよりも多い所定の分注量ずつ試料２を計量して分注できる。
【００３１】
また、本実施形態の分注チップ１０には、異なる容積のキャピラリ流路１３Ａ〜１３Ｃが混在して形成されているが、これらは、分注位置に対応した配置でチップ本体１１に形成されている。分注装置１は、例えば、図１、図２に示すようなターゲット３に向けて試料２の液滴を吐出し、ターゲット３の表面に設けられた複数の試料受け部４に試料２を分注する。このターゲット３には、試料受け部４として、分注すべき液量が異なる複数の試料受け部４Ａ〜４Ｃを１列に並べた列が、複数列形成されている。例えば、本実施形態では、各列に、３種類の分注量の試料受け部が並んで形成されている。分注チップ１０におけるノズル１４Ａ〜１４Ｃの配置すなわちキャピラリ流路１３Ａ〜１３Ｃの配置は、ターゲット３における試料受け部４Ａ〜４Ｃの配置に対応した配置になっている。従って、ターゲット３をノズル１４の下方に移動させて位置決めすることにより、各ノズル１４（１４Ａ〜１４Ｃ）を、それぞれ、適切な試料受け部４（４Ａ〜４Ｃ）に対向させて配置することができる。
【００３２】
各キャピラリ流路１３の内面１３ｂは、充填された試料２が分注後に流路内に残らないようにするために、可能な限り平滑に仕上げられている。また、内面１３ｂには親水加工がなされ、親水面になっている。これにより、水性液体である血液などの試料２がリザーバ流路１２を流れてキャピラリ流路１３とリザーバ流路１２との分岐位置１３ｃに到達すると、試料２は、分岐位置１３ｃにおいて親水面である内面１３ｂに沿ってキャピラリ流路１３の内部へ流れ込む。つまり、内面１３ｂを親水面にすることにより、毛細管力によるキャピラリ流路１３内への試料２の吸引が促進される。一方、キャピラリ流路１３の先端１３ａに接続されるノズル１４の先端面１４ａには疎水加工がなされており、先端面１４ａは疎水面になっている。これにより、キャピラリ流路１３に吸引された試料２が流路内を流れてキャピラリ流路１３の先端１３ａに到達したときに、この試料は、先端面１４ａが疎水面であるために先端面１４ａに沿ってノズル１４の外側へ流れ出さず、キャピラリ流路１３の内部に保持される。
【００３３】
このように、本実施形態では、キャピラリ流路１３の内面１３ｂと、内面１３ｂにキャピラリ流路１３の下流側（先端側）において接続されている先端面１４ａの表面仕上げを試料２の種類に応じて適切な仕上げにすることにより、キャピラリ流路１３への試料の吸引力および保持力を高めている。例えば、試料２が油性液体である場合には、親水面と疎水面の配置を逆にすることにより、同様の作用効果が得られる。
【００３４】
シリンダ機構２０は、シリンダ２１およびピストン２２を備えている。シリンダ２１は、円筒部２３の一端を閉鎖面２４によって閉鎖し、閉鎖面２４の中央から円柱状のノズル部２５を突出させ、さらに、このノズル部２５の先端に板状のソケット部２６を形成した形状である。ノズル部２５は円筒部２３と同軸上に延びており、ノズル部２５の中央を通るように空気排出孔２７が形成されている。ソケット部２６は、チップ本体１１の長手方向側の端部よりも一回り大きい形状であり、その先端側には、チップ本体１１の長手方向側の端部がぴったりと嵌まる形状の凹部２６ａが形成されている。空気排出孔２７の一端側はシリンダ２１内に開口しており、他端側は凹部２６ａ内に開口している。
【００３５】
凹部２６ａに、チップ本体１１の長手方向側の端部のうち、上流側の開口１２ａが形成された端部を嵌めこんで、チップ本体１１の側端面を凹部２６ａの内面に押し付けると、チップ本体１１の側端面に開口している開口１２ａと、凹部２６ａの内面に開口している空気排出孔２７が連通される。この状態でピストン２２を閉鎖面２４側へ押し込むことにより、シリンダ２１内の空気が空気排出孔２７からリザーバ流路１２へ供給される。
【００３６】
ストッパ３０は、シリンダ２１に類似した形状であり、シリンダ２１における円筒部２３よりも細い円筒部の先端を閉鎖面により閉鎖して、その中央から円柱部を突出させ、円柱部の先端に、シリンダ２１におけるソケット部２６とほぼ同一形状のソケット部３１を形成したものである。ソケット部３１の先端には、チップ本体１１の長手方向側の端部がぴったり嵌まる形状の凹部３１ａが形成されている。ストッパ３０における凹部３１ａの内面には、空気排出孔２７に相当する開口は設けられていない。凹部３１ａに、チップ本体１１の長手方向側の端部のうち、下流側の開口１２ｂが形成された端部を嵌めこんで、チップ本体１１の側端面を凹部３１ａの内面に押し付けると、リザーバ流路１２の下流側端部である開口１２ｂが、凹部３１ａの内面によって閉鎖される。なお、ストッパ３０の形状はこのようなものに限定されず、開口１２ｂを閉鎖する蓋体として使用できればどのような形状であってもよい。また、ストッパ３０に代えて、弁装置などを開口１２ｂに取り付けて開閉可能にしてもよい。
【００３７】
（分注方法）
次に、上記構成の分注装置１を用いた分注方法について、図３、図４を参照しながら説明する。
（１）試料導入工程
まず、図３（ａ）に示すように、分注チップ１０からシリンダ機構２０とストッパ３０をとり外しておく。そして、リザーバ流路１２に、開口１２ａから、血液などの試料２を所定量導入する。例えば、試料２が血液である場合には、患者の皮膚上にランセットなどにより血液を滲出させ、滲出した液滴に開口１２ａを接触させて、毛細管力により試料２をリザーバ流路１２内に吸い込ませる。
【００３８】
（２）試料充填工程
続いて、図３（ｂ）に示すように、シリンダ機構２０のソケット部２６に、分注チップ１０における開口１２ａが形成された側の端部をはめ込んで、開口１２ａと空気排出孔２７とを連通させる。なお、この段階では、下流側の開口１２ｂは外部と連通させておく。この状態でピストン２２をシリンダ２１内にゆっくりと押し込むと、リザーバ流路１２における試料２の上流側にシリンダ２１内の気体が徐々に導入される。これにより、試料２の上流側が加圧されるので、試料２の液滴は、下流側に向かって移動開始する。
【００３９】
試料２の液滴は、リザーバ流路１２と多数のキャピラリ流路１３との各分岐位置１３ｃを順次通過するが、通過時に、移動する液滴からキャピラリ流路１３内に試料２が毛細管力により瞬間的に吸い込まれ、キャピラリ流路１３が試料２で充填される。試料２の移動に伴って多数のキャピラリ１３が順次充填されてゆく過程を図４を参照しながら説明する。図４（ａ）では、試料２の液滴はリザーバ流路１２の最も上流側にあるので、まだ、どのキャピラリ流路１３も充填されていない。試料２の液滴がリザーバ流路１２の中央付近まで進むと、図４（ｂ）に示すように、液滴よりも上流側のキャピラリ流路１３にはすでに充填完了しているが、下流側のキャピラリ流路１３にはまだ試料２が充填されていない。そして、図４（ｃ）に示すように、試料２の液滴が全てのキャピラリ流路１３よりも下流側に到達した状態では、全キャピラリ流路１３への充填が完了している。よって、ここで一旦シリンダ機構２０による加圧を止める。
【００４０】
（３）試料吐出工程
次に、図３（ｃ）に示すように、ストッパ３０のソケット部３１に、分注チップ１０における開口１２ｂが形成された側の端部をはめ込んで、開口１２ｂを閉鎖する。なお、図３（ｃ）では、充填されずに余った試料２がリザーバ流路１２の下流側に残っているが、ストッパ３０を取り付ける前にこれをリザーバ流路１２から排出しておいてもよい。そして、リザーバ流路１２の下流側を閉鎖した状態で、さらにシリンダ機構２０を作動させる。上記試料充填工程では、ピストン２２をゆっくり押し込んでリザーバ流路１２に微圧を加えたが、上記試料充填工程よりも強い圧力でリザーバ流路１２を加圧する。そのため、ピストン２２を、上記試料充填工程よりも高速で作動させる。これにより、各キャピラリ流路１３から試料２が一気に吐出されて各ノズル１４の先端面から飛び出し、試料受け部４まで飛ばされる。
【００４１】
（本実施形態の効果）
以上説明したように、本実施形態では、リザーバ流路１２に試料２を導入し、その後にシリンダ機構２０を作動させて試料２の上流側に微圧を加えることにより試料２の液滴をリザーバ流路１２内で走行させ、各キャピラリ流路１３とリザーバ流路１２との分岐位置１３ｃを順次通過させる。これにより、各キャピラリ流路１３に、各キャピラリ流路１３の容積分の試料２を充填できる。そして、充填後にリザーバ流路１２の下端側を閉鎖してリザーバ流路１２をさらに加圧することにより、充填された試料をキャピラリ流路の先端から一気に吐出させて試料受け部４に向けて飛ばすことができる。つまり、キャピラリ流路１３の容積を分注量や分注精度に対応させるだけで、高精度な分注を簡易に行うことができる。このような簡易な構成で、例えば、２０ｎｌ程度の分注量ずつ試料２を分注できるので、ランセットなどで採血可能な数μｌ程度の血液を、少なくとも十数項目の検査用に分注できる。また、計量部であるキャピラリ流路１３から試料受け部４に非接触で試料を飛ばすことができるので、分注経路における試料２の汚染を抑制できる。
【００４２】
また、本実施形態では、キャピラリ流路１３の内面１３ｂを親水面にすることにより、水性液体である血液などの試料２を、この親水面に沿ってキャピラリ流路１３の内部へ流れ込みやすくしている。よって、毛細管力によるキャピラリ流路１３内への試料２の吸引が促進されている。また、キャピラリ流路１３の先端１３ａに接続されるノズル１４の先端面１４ａを疎水面にすることにより、キャピラリ流路１３に充填された試料が、キャピラリ流路１３の先端側からノズル１４の外側へ流れ出しにくいので、キャピラリ流路１３内に試料２を保持できる。
【００４３】
また、本実施形態では、各ノズル１４からの分注量が、キャピラリ流路１３の容積によって一義的に決まる。よって、分注チップ１０に、分注量および分注位置に応じた容積および配置でキャピラリ流路１３を形成することにより、様々な分注量の試料をそれぞれ異なる分注位置に一度に分注できる。
【００４４】
（第２実施形態）
次に、第２実施形態の分注装置および分注方法について説明する。なお、第１実施形態と同一の部分については説明を省略し、異なる部分のみ説明する。図５は、本実施形態の分注装置１００により行われる分注方法の説明図である。本実施形態の分注装置１００における分注チップ１１０の外形は上記分注チップ１０とほぼ同じであるが、この分注チップには、リザーバ流路１１２と、リザーバ流路１１２から分岐する複数の分岐流路１１３が形成されている。本実施形態における分岐流路１１３の内面およびノズル１１４の先端面には、親水処理あるいは撥水処理が施されていない。その代わりに、本実施形態の分注チップ１１０は、各ノズル１４の先端を閉鎖するための閉鎖部材であるＰＴＦＥ膜（ポリテトラフルオロエチレン膜）１１５を備えている。ＰＴＦＥ膜１１５は、分注チップ１１０の使用開始前に、予めチップ本体１１１におけるノズル突出面（本実施形態では、下面）側に取り付けられており、全てのノズル１１４の先端面に貼り付けられて分岐流路１１３を閉鎖している。このＰＴＦＥ膜１１５は、チップ本体１１１から取り外し可能になっている。
【００４５】
また、この分注装置１００は、通気性があるＰＴＦＥ膜１１５越しに分岐流路１１３の内部を吸引するための吸引装置１１６を備えている。吸引装置１１６は、例えば、図５（ｂ）に示すように、ＰＴＦＥ膜１１５ごと全ノズル１４の先端を囲んで密閉するための密閉部１１７と、この密閉部１１７により囲まれた内部空間に接続された減圧装置１１８などを備えている。密閉部１１７は、通気性がない膜体や壁体などにより構成される。なお、ノズル１４の先端を閉鎖するための閉鎖部材はＰＴＦＥ膜１１５に限定されず、液状の試料２を透過させず気体は透過させる構造の膜や蓋部材などであればよい。
【００４６】
この分注装置１００では、試料充填工程および試料吐出工程を、以下のように行う。
（１）試料導入工程
まず、図５（ａ）に示すように、ＰＴＦＥ膜１１５が全ノズル１４の先端面を塞いでいる状態で、第１実施形態と同様に、リザーバ流路１１２に試料２を充填する。
【００４７】
（２）試料充填工程
続いて、図５（ｂ）に示すように、シリンダ機構２０を実施形態１と同様に分注チップ１１０の上流側の端部に装着し、リザーバ流路１１２とシリンダ機構２０とを連通させる。そして、密閉部１１７によって全ノズル１４の先端を囲んで密閉し、密閉部１１７により囲まれた密閉領域に減圧装置１１８を接続する。なお、リザーバ流路１１２の下流側は、第１実施形態と同様に外部と連通させておく。
【００４８】
本実施形態では、この状態で第１実施形態と同様にシリンダ機構２０を作動させてリザーバ流路１１２に微圧を加え、試料２の液滴の上流側と下流側との間に差圧を発生させて、試料２の液滴をリザーバ流路１１２の下流側に向かって移動させる。それと同時に、減圧装置１１８を作動させてノズル１４の先端側の密閉領域を減圧し、通気性があるＰＴＦＥ膜１１５越しに、分岐流路１１３を吸引する。減圧装置１１８は、試料２の液滴がリザーバ流路１１２を移動している間は作動を継続し、分岐流路１１３を先端側から吸引し続ける。これにより、試料２の液滴がリザーバ流路１１２における各分岐流路１１３の分岐位置を通過する際に、分岐流路１１３の先端側からの吸引力によって試料２が瞬間的に吸い込まれ、分岐流路１１３が充填される。全分岐流路１１３への充填が終了したら、シリンダ機構２０による加圧を止めると共に、減圧装置１１８を停止させる。ＰＴＦＥ膜１１５は防水性を備えているので、分岐流路１１３に充填された血液などの試料２はＰＴＦＥ膜１１５を透過せず、分岐流路１１３内に保持される。
【００４９】
（３）試料吐出工程
本工程では、図５（ｃ）に示すように、ＰＴＦＥ膜１１５をノズル１４の先端からはがして除去する。そして、第１実施形態と同様に、ストッパ３０によりリザーバ流路１１２の下流側を閉鎖し、シリンダ機構２０を作動させてリザーバ流路１２を加圧する。これにより、図５（ｄ）に示すように、各分岐流路１１３から試料２が吐出され、試料受け部４に非接触で分注される。
【００５０】
本実施形態では、以上のような構成により、分岐流路１１３の先端側から吸引して分岐流路１１３内に試料２を導入できるので、分岐流路１１３に毛細管力が働かなくても試料２を確実に充填できる。また、分岐流路１１３の先端を防水性のある素材で塞いでいるので、吸引した試料を確実に分岐流路１１３内に保持できる。なお、分岐流路１１３を毛細管力が働く形状にして、毛細管力と吸引力によって試料２を充填するようにしてもよい。また、複数の分岐流路の断面積や形状、あるいは分岐流路内面の表面処理をそれぞれ異ならせて、一部の分岐流路のみ毛細管力が働くようにしてもよい。この場合、毛細管力が働かない分岐流路のみにＰＴＦＥ膜を設けて吸引するようにしてもよい。
【００５１】
（改変例）
（１）上記各実施形態では、複数のキャピラリ流路１３あるいは１１３の断面形状を同一にして流路長を変えることにより各キャピラリ流路における試料２の充填量を調整していたが、断面積を変えることにより充填量を調整してもよい。
【００５２】
（２）分注チップやリザーバ流路の形状は、上記各実施形態の形状に限定されない。図６（ａ）は改変例の分注チップ２００におけるリザーバ流路２１２の説明図、図６（ｂ）はこの分注チップ２００におけるノズル２１４の配置を示す説明図である。なお、図６では、分注チップの上部を省略して内部の流路構造を表示している。分注チップ２００は、薄板状の正方形のチップ本体２１１に、９本のキャピラリ流路２１３が３本ずつ３列に並んで形成されている。また、チップ本体２１１には、キャピラリ流路２１３の配置に合わせて、９個のノズル２１４が形成されている。分注チップ２００では、これらのキャピラリ流路２１３を１本のリザーバ流路２１２でつなぐために、リザーバ流路２１２をＳ字状に形成している。このようにすれば、リザーバ流路２１２に試料２を流すだけで、平面状に並んだ複数列の試料受け部に一度に分注できる。また、図７（ａ）は上記実施形態のような直線状のリザーバ流路が形成された分注チップの内部構造を示す説明図であるが、これを図７（ｂ）に示す分注チップ３００のように筒状に湾曲させてもよい。このような分注チップ３００を用いれば、円形に配置された複数の試料受け部に、一度に試料２を分注することができる。
【００５３】
上記実施形態では、開口１２ａを試料供給用あるいは圧力印加用に兼用していたが、別々の開口を設けてもよい。例えば、開口１２ａを圧力印加用として用いて、開口１２ａよりも下流側に、試料供給用の開口を設けてもよい。
【００５４】
上記実施形態では、試料吐出工程においてシリンダ機構２０を作動させてリザーバ流路１２を加圧していたが、このとき、リザーバ流路１２において発生する圧力変動が数百ミリ秒以下の矩形波状の圧力パルスとなるようにシリンダ機構２０を作動させるとよい。このようにすると、各分岐流路１１３に充填された試料２が飛び散らずにきれいな液滴状になって吐出される。なお、矩形波状の圧力パルスを加えるためには、シリンダ２１内あるいはリザーバ流路１２に連通された圧力発生室内に圧電振動子を設け、圧電振動子の駆動信号として矩形波パルスを与えればよい。
【図面の簡単な説明】
【００５５】
【図１】本発明の第１実施形態に係る分注装置の斜視図である。
【図２】本発明の第１実施形態に係る分注装置の断面図である。
【図３】本発明の第１実施形態に係る分注方法の説明図である。
【図４】キャピラリ流路への試料の充填過程を示す説明図である。
【図５】第２実施形態に係る分注装置により行われる分注方法の説明図である。
【図６】改変例の分注チップの説明図である。
【図７】改変例の分注チップの説明図である。
【符号の説明】
【００５６】
１…分注装置、２…試料、３…ターゲット、４…試料受け部、１０…分注チップ、１１…チップ本体、１１ａ…下面、１２…リザーバ流路、１２ａ…開口（試料供給口）、１２ｂ…開口、１３，１３Ａ，１３Ｂ，１３Ｃ…キャピラリ流路（分岐流路）、１３ａ…先端、１３ｂ…内面、１３ｃ…分岐位置、１４，１４Ａ，１４Ｂ，１４Ｃ…ノズル、１４ａ…先端面、２０…シリンダ機構（加圧手段）、２１…シリンダ、２２…ピストン、２３…円筒部、２４…閉鎖面、２５…ノズル部、２６…ソケット部、２６ａ…凹部、２７…空気排出孔、３０…ストッパ（開閉手段、蓋部材）、３１…ソケット部、３１ａ…凹部、１００…分注装置、１１０…分注チップ、１１１…チップ本体、１１２…リザーバ流路、１１３…分岐流路、１１４…ノズル、１１５…ＰＴＦＥ膜（閉鎖部材）、１１６…吸引装置（吸引手段）、１１７…密閉部、１１８…減圧装置、２００…分注チップ、２１１…チップ本体、２１２…リザーバ流路、２１３…キャピラリ流路、２１４…ノズル、３００…分注チップ、Ｄ…内径、Ｌ…流路長
【図１】
0005050859.tif 000002
【図２】
0005050859.tif 000003
【図３】
0005050859.tif 000004
【図４】
0005050859.tif 000005
【図５】
0005050859.tif 000006
【図６】
0005050859.tif 000007
【図７】
0005050859.tif 000008